Podtech/llm-jp-corpus-v4-ja_patent huggingface dataset:
(57)【要約】      （修正有）【課題】表生地と裏生地の周縁を接着剤を付けた生地で接着して強度や生地の風合いを保ち、ダニ等の死骸や綿ほこり等の出入りができない防ダニ寝具を提供する。【解決手段】生地１と生地２の周縁を重ね合わせ、その間に接着剤４を付けた生地３を二つ折にして生地１と生地２に接着し、生地１と生地２の周縁を内側に折り曲げ、接着した部分にかからないように当該周縁を縫糸５，６で縫製して、強度、風合い、見た目もよく、ダニ等の死骸や綿ほこり等の出入りができない防ダニ寝具。【選択図】図１
0003142489.tif 000002
【実用新案登録請求の範囲】
【請求項１】
生地１と生地２の周縁を重ね合わせ、その間に接着剤４を付けた生地３を二つ折にして生地１と生地２に接着し、生地１と生地２の周縁を内側に折り曲げて、接着した部分にかからないように当該周縁を縫糸５，６で縫い合せることで、ダニ等の死骸や綿ほこり等の出入りができないことを特徴とする防ダニ寝具。
【請求項２】
生地１と生地２をマチテープで接着して立体構造の複数の区画を作り各区画に羽毛または、綿等を充填したことを特徴する請求項１に記載の防ダニ寝具。
【請求項３】
生地１と生地２の周縁の一辺を残して、周縁の裏側より縫糸５で縫い合わせて接着剤４を付けた生地３を接着して、その中に羽毛布団、真綿、綿等の布団８を入れて、残りの周縁の一辺に接着剤４を付けた生地３で接着し表側より縫糸５で縫い合わせたことを特徴する防ダニ寝具。
【請求項４】
生地１と生地２の周縁の一部にファスナー７等を取り付けたことを特徴する請求項３に記載の防ダニ寝具。
【考案の詳細な説明】
【技術分野】
【０００１】
本考案は、ダニや綿ほこり等の出入りを防ぐための防ダニ寝具に関するものである。
【背景技術】
【０００２】
従来は周縁をコ字状に縁布を接着した布団または、周縁を両面粘着テープで接着した、そのため強度が弱く剥がれやすい、風合いも良くない例えば、特許文献１、特許文献２参照。
【特許文献１】特許第２７６４３９３号公報
【特許文献２】特許第３４６９９１７号公報
【考案の開示】
【考案が解決しようとする課題】
【０００３】
表生地と裏生地の周縁を接着した布団では接着面がＬ字型になるため表生地と裏生地に力が加わると剥がれやすい欠点がある。
【０００４】
また、表生地と裏生地の周縁を接着し、周縁の上を別の生地で接着した布団では、周縁が厚くなり風合いを損なう、接着部分が外側にあるため引っ掛かりやすい欠点がある。
【課題を解決するための手段】
【０００５】
本考案は、生地１と生地２の周縁を合わせ、その間に接着剤４を付けた生地３を二つ折にして生地１と生地２に接着して、生地１と生地２の周縁を内側に折り曲げて接着した部分にかからないように当該周縁を縫糸５，６で縫い合せることで強度を増し、外見の見栄えも良く、風合いを損なわないことを解決して、ダニ等の死骸や綿ほこり等の出入りができない防ダニ寝具を提供することを目的とするものである。
【０００６】
生地１と生地２をマチテープで接着して立体構造の複数の区画を作り各区画に羽毛または、綿等を充填した防ダニ寝具を提供できる。
【０００７】
生地１と生地２の周縁の一辺を残して、裏側より縫糸５で縫い合わせ接着剤４を付けた生地３を接着して、その中に羽毛布団、真綿、綿等の布団８を入れて残りの一辺を接着し、表側より縫糸５で縫い合わせた防ダニ寝具を提供できる。
【０００８】
生地１と生地２の周縁の一部にファスナー７等を取り付けた防ダニ寝具を提供できる。
【考案の効果】
【０００９】
生地１と生地２の周縁の内側に生地３を接着し周縁を縫糸５、６で縫い合わせることで強度、風合い、見た目もよく、ダニ等の死骸や綿ほこり等の出入りができない防ダニ寝具を提供できる。
【考案を実施するための最良の形態】
【００１０】
以下、本考案の実施の形態を図面に基づき説明する。
【実施例】
【００１１】
図１は、本考案に係る周縁を示す、断面図であり生地１と生地２の周縁を重ね合わせ、その間に接着剤４を付けた生地３を二つ折にして生地１と生地２に接着し、生地１と生地２の周縁を内側に折り曲げ、接着した部分にかからないように当該周縁を縫製糸５，６で縫い合せたものである。
【００１２】
図２、図３は、周縁の構成例を示す断面図で、生地１と生地２の周縁の一辺を残して、裏側より縫糸５で縫い合わせ接着剤４を付けた生地３を接着して、その中に羽毛布団、真綿、綿等の布団８を入れて残の一辺を接着し、表側より縫糸５で縫い合わせたものである。
【００１３】
図４は、生地１と生地２の周縁を裏側より縫糸５で縫い合わせて周縁を内側より接着して一部にファスナー７を取り付けた平面図である。
【産業上の利用可能性】
【００１４】
高密度生地と高密度生地を縫い合せて強度を持たせ、接着剤を付けた高密度生地で接着して縫い目を覆うことで、ダニ等の死骸や綿ほこり等の出入りができない布団ができる。
【図面の簡単な説明】
【００１５】
【図１】本考案に係る要部の断面図。
【図２】周縁部の構成例を示す断面図。
【図３】周縁部の他の構成例を示す断面図。
【図４】ファスナーを付けた平面図。
【符号の説明】
【００１６】
１  生地
２  生地
３  生地
４  接着剤
５  縫糸
６  縫糸
７  ファスナー
８  布団
【図１】
0003142489.tif 000003
【図２】
0003142489.tif 000004
【図３】
0003142489.tif 000005
【図４】
0003142489.tif 000006
(57)【要約】      （修正有）【課題】室内で焼肉をするときに出る煙を室外に排出する装置を提供する。【解決手段】所定の位置に置いた焼肉用コンロ８の上部に、煙を吸引するために、管２とジャバラホースを用いて、排気扇で煙を室外に排出する装置である。【選択図】図３
0003142326.tif 000002
【実用新案登録請求の範囲】
【請求項１】
フードを設けた支柱管に、排気扇を設けたジャバラホースを接続して、煙を室外に排出する室外排煙装置。
【考案の詳細な説明】
【技術分野】
【０００１】  この考案は、室内で焼肉をするときに発生する煙を室外に排出する装置に関するものである。
【背景技術】
【０００２】  従来、夏はクーラーの冷気、冬は暖房の熱を逃がさないために、部屋のドアーや窓は、締めきって焼肉をしていた。
【考案解決しようとする課題】
【０００３】  そのため、次のような問題があった。  焼肉をするときに発生する大量の煙が、室内に充満して煙たいだけでなく、衣服や毛髪さらには壁まで匂いが付着するなやみがあった。本考案は、以上の問題点を解決するためになされたものである。
【課題を解決するための手段】
【０００４】  コンロ置き台に、上下にスライドする支柱管を設け、その上部にフードを設け、下部に排気扇を設けたジャバラホース（以下単にホースと云う）を接続して煙を室外に排出できるようにしたスタンド型室外排煙装置。
【考案の効果】
【０００５】  コンロから立ち昇った煙は、直ちにフード内に吸引されるので、室内に煙が充満することがなく快適に焼肉をすることができる。
【考案を実施するための最良の形態】
【０００６】  以下、本考案の実施の形態について説明する。  （イ）コンロ置き台（１）にコンロ（８）を置き、ホース取付口（４）にホース（６）を接続して（図２、図３のＡ−Ａ′）ホース固定枠（７）を壁（９）と建具（１０）にはさみ込みホースの末端を室外に出す。  （ロ）排気扇（５）のプラグ（１１）をコンセントに差し込み焼肉を始める。
【図面の簡単な説明】
【０００７】
【図１】本考案の断面図
【図２】本考案の使用状態を示す説明図及び、一部断面図
【図３】本考案の使用状態を示す本体説明図
【符号の説明】
【０００８】１    コンロ置き台２    支柱管３    フード４    ジャバラホース取付口５    排気扇６    ジャバラホース７    ジャバラホース固定枠８    コンロ９    壁１０  建具１１  プラグ
【図１】
0003142326.tif 000003
【図２】
0003142326.tif 000004
【図３】
0003142326.tif 000005
(57)【要約】【課題】数独（登録商標）をはじめ、ナンバークロスまたはナンクロと呼ばれるパズル、ナンバープレスまたはナンプレ等と呼ばれるパズルのクイズの答えを記入方法から、答えを間違えても消しゴムで消したり、横線で消したりすることなく、駒と盤を提供する。【解決手段】数独（登録商標）をはじめ、ナンバークロスまたはナンクロと呼ばれるパズル、ナンバープレスまたはナンプレ等と呼ばれるパズルのクイズの答えを記入方法から、数字の駒に置換する事により答えを間違えたりした時には、駒を移動したり置換するだけで効率良く、クイズの答えが出来る。【選択図】図６
0003142325.tif 000002
【実用新案登録請求の範囲】
【請求項１】
数独（登録商標）またはナンバークロスと呼ばれる数字パズルにおいて、クイズの解答に用いられる数字１〜９を表裏に記入した９×９＝８１の駒。                             
【請求項２】
数独（登録商標）またはナンバークロスと呼ばれる数字パズルにおいて、クイズの問題と解答に用いられる９×９＝８１の枡を記入した盤。  
【考案の詳細な説明】
【技術分野】
【０００１】
数独（登録商標）またはナンバークロスに用いられる駒と盤に関する。
【背景技術】
【０００２】
現状問題用紙にパズルの答えを、書き込むように限られていた。
【特許文献１】実用新案登録第３１３４４０６号
【考案の開示】
【考案が解決しようとする課題】
【０００３】
パズルの数独（登録商標）ナンバークロスの答えを間違えた場合その都度訂正しなければならない。  
【課題を解決するための手段】
【０００４】
答えを間違えた場合、考案の盤に駒を置換、移動するだけで良い。
【考案の効果】
【０００５】
数字の駒を並べることなので、幼児から老人まで楽しめる。
【０００６】
パズルの場合皆で考える事が出来る。
【０００７】
ゲームのように多人数で競えあえる。
【考案を実施するための最良の形態】
【０００８】
駒の大きさは縦２センチ横１、５センチ位  盤は駒が９個ずつ縦、横並ぶ大きさ。
【図面の簡単な説明】
【０００９】
【図１】本考案の駒で表、裏に数字を表示（問題用の駒と答えの駒に使い分ける）。
【図２】本考案パズルの盤。
【図３】パズルの答えの記入例。
【図４】パズルの答えを間違えた記入例。
【図５】本考案の数字駒を置換、移動例。
【図６】本考案の盤と数字駒のイメージ図。
【図１】
0003142325.tif 000003
【図２】
0003142325.tif 000004
【図３】
0003142325.tif 000005
【図４】
0003142325.tif 000006
【図５】
0003142325.tif 000007
【図６】
0003142325.tif 000008
【手続補正書】
【提出日】平成20年4月4日(2008.4.4)
【手続補正１】
【補正対象書類名】実用新案登録請求の範囲
【補正対象項目名】全文
【補正方法】変更
【補正の内容】
【実用新案登録請求の範囲】
【請求項１】
「数独（登録商標）、ナンバークロス（登録商標）」と呼ばれる数字パズルにおいてクイズに用いられる１の数字を記入した９個の駒と２の数字を記入した駒９個、同じく３の数字記入した駒９個、４の数字記入した駒９個、５の数字記入した駒９個、６の数字記入した駒９個、７の数字記入した駒９個、８の数字記入した駒９個、９の数字記入した駒９個から成る合計８１個の駒。
【請求項２】
「数独（登録商標）または ナンバークロス（登録商標）と呼ばれる数字パズルにおいて、クイズの問題と解答に用いられる９×９＝８１の枡を記入した盤と請求事項１記載の８１個の駒とから成り、前記駒を前記枡に載置可能であることを、特徴とする駒を備えた盤。
(57)【要約】      （修正有）【課題】従来の折り畳み傘の傘ケースは雨降りのとき収納すると雨水の吸収がなく鞄に納められず、衣服も濡らすため、雨水受けのある雨水も吸収する傘ケースを提供する。【解決手段】折り畳み傘の傘ケースは上側３と下側２に分けて  上側は生地を筒状にして、下側はキャップ状でその内側に中央を窪ませたスポンジ４を治める。雨水の付いた傘が固定化され、雨水もスポンジによって吸収され水も排水出来、鞄にも納められ、衣服につく水滴も防げ雨降りにも安心、快適なファッション性ある傘ケースを提供する。【選択図】図２
0003142371.tif 000002
【実用新案登録請求の範囲】
【請求項１】
上側筒状と下側キャップ状とからなる折り畳み傘の傘ケースであって、
前記上側筒状は、該上側の上端には一端が縫合されている折り込みを介し紐で調節できる開口部を有し、前記下側キャップ状はその内側に沿って中央を窪ませたスポンジがいれられており、前記上側筒状と前記下側キャップ状とは差し込まれる留め具により留められており、前記スポンジは該留め具の差し込みの引き抜きにより取り出し得ることを特徴とする雨水排水する折り畳み傘の傘ケース。
【請求項２】
前記折り込みは上側筒状の上端から周方向に沿わせるように内側に折り込んで納めることを特徴とする請求項１記載の折り畳み傘の傘ケース。
【考案の詳細な説明】
【技術分野】
【０００１】
本考案は  折り畳み傘の傘ケースに関するものである。
【背景技術】
【０００２】
従来の折り畳み傘の傘ケースにも雨水受けを施したものがある。（例えば  実用新案登録文献参照１，２）１は色々な雨水受けを設けているが吸収はない。２も溜まった雨水を捨てる形になっている。
【特許文献１】実開平１−１６４８１７号公報（第２頁、図１）
【特許文献２】特開平６−１８１８０８号公報（第３頁、図１）
【考案の開示】
【考案が解決しようとする課題】
【０００３】
解決しようとする課題は従来のものでは  折り畳み傘が雨に濡れた時の収納は  雨受けに雨水が溜まる。吸収もないので鞄の中にも入れられず、衣服も濡らす。
【課題を解決するための手段】
【０００４】
折り畳み傘を収納する傘ケースを作る。まずケースを上側と下側に分ける。上側は生地を筒状に縫う。その上端に生地をたして差し込んだ傘を入れられるように、又筒状に縫う開口部は紐で調節する。きれいに折り畳んだ傘を入れる時は上端から周方向に上側の内に折り込んでおく。下側は合成樹脂（プラスチック）でキャップ状とし、その内側に沿ってスポンジを入れ、水を吸い取る様にする。上側と下側とは差し込んで留め具で留める。
その開閉で排水できる。
【考案の効果】
【０００５】
本考案は折り畳んだ傘の収納にも使え、雨で濡れた傘をそのまま入れる事も出来る。
中途の折り畳み方でも開口部の紐を締めて固定する。雨水受けのスポンジに雨水を吸わせ  衣服も濡れず  鞄にも入れられる。又、下側の雨水受けを引き抜くとスポンジを絞って雨水を捨てることが出来る優れものである。
【考案を実施するための最良の形態】
【０００６】
本考案の折り畳み傘の傘ケースは上側筒状、下側合成樹脂のキャプ状を差し込む形とし、雨を受けて折り畳んだ傘の膨らみも考えた丁度良い大きさのファッション性ある形態です。
【０００７】
さらに、上側筒状の生地として雨に強いビニールコーティングされた物や、染みない生地が良い。上端から足した生地はやわらかい生地が好ましい。
【０００８】
本考案の傘ケースの上側と下側は差込んで開閉するのでチェーンで繋ぐと落とさない。
【実施例１】
【０００９】
雨で濡れた傘を収納した時  どこかに掛けられる様にフック状の物が付いていると便利である。
【実施例２】
【００１０】
スポンジ、吸水性のある（尿とり）、ティッシュ  等を雨水受けに入れるとよい。
【実施例３】
【００１１】
折り畳み傘ケース留め具は簡単に扱え、着脱出来るのが望ましい。
【実施例４】
【００１２】
上側、下側の色彩感覚でファッション性豊かな折り畳み傘の傘ケースが提供できる。
【実施例５】
【００１３】
本考案の傘ケースの上端にたした生地は紐で縮めることの出来るやわらかい生地が好ましい。
【図面の簡単な説明】
【００１４】
【図１】晴れた時の傘と傘ケース
【図２】断面図
【図３】全体図
【図４】濡れた傘の入った傘ケース
【符号の説明】
【００１５】
１    上側
１ａ  加えた布地（筒状）
２    下側
３    上端
４    スポンジ
５    留め具（差込）
６    フック
７    紐            １０  傘
８    チェーン
【図１】
0003142371.tif 000003
【図２】
0003142371.tif 000004
【図３】
0003142371.tif 000005
【図４】
0003142371.tif 000006
(57)【要約】      （修正有）【課題】取り外し可能なメイクボックスが付いた鏡台を提供する。【解決手段】鏡台とメイクボックスは一体化せず、取りはすずことができる事を特徴とする。【選択図】図２
0003142313.tif 000002
【実用新案登録請求の範囲】
【請求項１】
左右どちらか片方に、取り外す事のできるメイクボックスがついた鏡台
【考案の詳細な説明】
【技術分野】
【０００１】この考案は化粧品入れ（メイクボックス）と鏡台をとり外し可能にした、鏡台に関するものである。
【背景技術】
【０００２】従来鏡台には数個の引き出しがあり化粧品はその引き出しに納まるよう造られていた。
【考案の開示】
【発明が解決しょうとする課題】
【０００３】これは次のような問題点があった。
化粧品は細々している物がたくさん有るので、片づけにくく、又、冬には、寒い所で長々と化粧をするのは不快であった（鏡台は好きだが、使い勝手が悪い所が難点です）
【課題を解決するための手段】
【０００４】鏡台の左右片方のひき出しをひき出しではなく、メイクボックスにし、鏡台から取り外し自由にした
【考案の効果】
【０００５】化粧品がメイクボックス１つに集約され、片づけやすくなった。又、化粧をする際、鏡台の前でのみに拘束されず、いろいろな場所での化粧が可能になった。
例えば冬にはこたつで化粧ができる。
又、メイクボックスだけだと、ボックスの片付け場所に困る事があるが鏡台と一体化したメイクボックスだと、その収納場所があるので、実用的にも見た目にも良い。
【考案を実施するための最良の状態】
【０００６】  以下、本案の実施の形態について説明する。
（イ）鏡台の両はしにある引き出し部分のどちらか一方の上部、又は、全体を取り外しのできる、メイクボックスにする。
【図面の簡単な説明】
【０００７】
【図１】本考案の正面図である
【図２】メイクボックスとして付けていた箱をはずした所
【符号の説明】
【０００８】  ▲１▼  鏡台
▲２▼  メイクボックス
【図１】
0003142313.tif 000003
【図２】
0003142313.tif 000004
(57)【要約】      （修正有）【課題】他人による保温具の下肢・腕への着用、取外しの容易性、軽量化、保温具で覆われている箇所全体の蒸れの対策、身体への圧迫による血流阻害対策を実現した保温具を提供する。【解決手段】発泡ネット１を用いることにより、保温性が得られるばかりでなく、肌触りに優れ、かつ非常に軽量で動きやすく、身体を圧迫しない為、血流阻害しにくい。ネット状になっていることで、蒸れ防止にもなり、保温具として理想的な性質を有している。また、素材が伸縮性に優れている為、介護等で他人による着用、取外しが容易であり、ずれに強いという利点がある。【選択図】図１
0003142319.tif 000002
【実用新案登録請求の範囲】
【請求項１】
発泡ネット(ネット状の発泡シート)により、脱着の容易性、軽量性、圧迫による血流阻害防止、優れた肌触りを実現した保温具。
【請求項２】
請求項1において端になる部分（片側、もしくは両側）は、素材を折り返し、ゴムを装着し、膨らみを維持した構造とする事により、ずれ防止効果を備えた保温具。
【請求項３】
請求項1の素材が網目状になっていることから、蒸れ難い効果を備えた保温具。
【考案の詳細な説明】
【技術分野】
【０００１】
本考案は、発泡ネット(ネット状の発泡シート)を用いた保温具に関するものである。
【背景技術】
【０００２】
従来の布等で作成されている保温具では、他人による保温具の脱着性が困難、全体を覆うため、蒸れが生じる、肌触りが良くない等、実用上問題点があった。
【０００３】
また、レッグウォーマー、靴下等の保温具でずれ防止対策を実施する為には、ある程度、圧迫させる必要があり、就寝等に用いる場合は圧迫による血流の阻害、不快感を伴うなどの欠点があった。
【０００４】
この改善策として、発泡ネットを用いることにより、素材の伸縮性を生かした脱着の容易性、軽量性、経済性とともに、圧迫による血流の阻害防止、柔らかな肌触りを実現する。また、ネット状であることによる、通気性を生かした蒸れ防止効果も実現している。更に、端となる部分（片側もしくは両側）は発泡ネットを折り返し、数箇所のみを止め、ゴムを装着することで、膨らみを維持しつつ、伸縮性を阻害しない構造とする事によりずれを防止し、脱着の容易性を阻害しない構造としている。
【考案の開示】
【考案が解決しようとする課題】
【０００５】
解決しようとする問題点は、保温具（冷え対策）の下肢・腕への着用、取外しの容易性、ずれ対策、蒸れ、圧迫による血流の阻害対策、肌触り改善、軽量化である。
【課題を解決するための手段】
【０００６】
本考案は、保温具の素材に発泡ネットを用い、かつ、ずれに強い構造としたことを主要な特徴とする。
【考案の効果】
【０００７】
本考案の保温具は、着用者にとって保温性が得られるばかりでなく、圧迫による血流の阻害防止、肌触りに優れ、かつ非常に軽量で動きやすい。ネット状になっていることで、蒸れ防止にもなり、保温具として理想的な性質を有している。
また、素材が伸縮性に優れている為、介護等で他人による着用、取外しが容易であり、ずれに強いという利点がある。
このため、就寝時に用いた場合、むくみ解消・安眠・冷え対策が可能となる。
【考案を実施するための最良の形態】
【０００８】
発泡ネットと（幅広）ゴム、それらを留めるための、糸・接着剤等、または、発泡ネット同士を融着して実現する。
【実施例１】
【０００９】
図１は、足首より上部の下肢への着用実施例である。また、１は発泡ネット、２は糸、３は（幅広）ゴムである。なお、２の部分は接着材、または発泡ネット同士を融着して実現してもよい。
【００１０】
図４は、足先より上部の下肢への着用実施例である。なお、図４での爪先の部分は露出しているが、覆われるように装着しても良い。１は発泡ネット、２は糸、３はゴムである。なお、２の部分は接着材、または発泡ネット同士を融着して実現してもよい。
【図面の簡単な説明】
【００１１】
【図１】保温具を足首より上部に装着した実施例の説明図である。
【図２】保温具の概要を示した説明図である。
【図３】図２の断面Xの説明図である。
【図４】保温具をつま先から装着した実施例の説明図である。
【符号の説明】
【００１２】
１    発泡ネット
２    幅広ゴム
３    糸
【図１】
0003142319.tif 000003
【図２】
0003142319.tif 000004
【図３】
0003142319.tif 000005
【図４】
0003142319.tif 000006
【手続補正書】
【提出日】平成20年3月27日(2008.3.27)
【手続補正１】
【補正対象書類名】実用新案登録請求の範囲
【補正対象項目名】全文
【補正方法】変更
【補正の内容】
【実用新案登録請求の範囲】
【請求項１】
網目状の筒状形態の発泡ネットを使用し、衣料用として足にフィットする様、適切な大きさに加工することにより、軽量性、圧迫による血流阻害防止、優れた肌触りを実現したレッグウォーマ型の保温具。
【請求項２】
請求項1において端になる部分は、素材を折り返し、ゴムを装着し、膨らみを維持した構造とする事により、ずれ防止効果を備えた保温具。
(57)【要約】      （修正有）【課題】土木作業において土や石塊を穿つ際、作業の労力が軽減するスコップ式鶴嘴を提供する。【解決手段】先端の尖った鶴の嘴の様な形状である鶴嘴部３をスコップの柄１の先に取り付けた。また、スコップのように足を掛けて地中に踏み込みのできる様に足掛け部４を有することを特徴とする。【選択図】図１
0003142311.tif 000002
【実用新案登録請求の範囲】
【請求項１】
土木作業に使用するスコップの先端を鶴嘴の先端の形に変更したことを特徴とする土石塊、穿つ工具。
【請求項２】
前記工具は、スコップの一用途である足力による地中へ踏み込む為の図１  ４  足掛け部を有することを特徴とする請求項１記載のスコップ式鶴嘴。
【考案の詳細な説明】
【技術分野】
【０００１】この考案は、土、石塊を穿つのに用いる工具の構造に関する。
【背景技術】
【０００２】従来の土、石塊を穿つのに用いる鶴嘴の構造は、図２に示すように鉄製で先端を尖った鶴の嘴のように造り中央部に柄をつけたものである。
【考案の開示】
【考案が解決しようとする課題】
【０００３】しかしながら、以上の技術によれば鍬を使用する動作が主力となり長時間の作業が苦しかった。
そこで、この考案は、スコップ形の鶴嘴を提供すること課題とする。
【課題を解決するための手段】
【０００４】以上の課題を解決するために、第一考案は、先端の尖った鶴の嘴の様な形状をスコップの柄の先に取り付けたことを特徴とする鶴嘴である。
また、第二考案は、スコップのように足を掛けて地中に踏み込みのできる様に図１−４を有することを特徴とする鶴嘴である。
【考案の効果】
【０００５】第一考案、または第二考案によれば、穿つ作業の労力が軽減する。
【考案を実施するための最良の形態】
【０００６】この考案の一実施形態を、図１に示す。【０００７】「実施形態の効果」
この実施形態によれば、きめ細やかな、穿つ作業が労せずして出来る。【０００８】「他の実施形態」
図１の実施形態では、３  鶴嘴部の先端は尖っているが、他の実施形態では、鍬の様に平坦でもよい。
【図面の簡単な説明】
【０００９】
【図１】この考案の一実施形態を示す斜視図である。
【図２】従来技術を示す斜視図である。
【符号の説明】
【００１０】１  柄    ２  取っ手    ３  鶴嘴部    ４  足掛け部
【図１】
0003142311.tif 000003
【図２】
0003142311.tif 000004
【手続補正書】
【提出日】平成20年3月1日(2008.3.1)
【手続補正１】
【補正対象書類名】実用新案登録請求の範囲
【補正対象項目名】全文
【補正方法】変更
【補正の内容】
【実用新案登録請求の範囲】
【請求項１】
土木作業に使用するスコップの先端を鶴嘴の先端の形に変更したことを特徴とする土石塊を穿つ工具。
【請求項２】
前記工具は、スコップの一用途である足力による地中へ踏み込む為の足掛け部を有することを特徴とする請求項１記載のスコップ式鶴嘴。
(57)【要約】      （修正有）【課題】携帯用歯ブラシに爪楊枝ケースを取り付けることにより、二つの役割をコンパクトに収納、携帯することができる爪楊枝ケース付携帯用歯ブラシを提供する。【解決手段】歯ブラシ本体４に爪楊枝ケース１を一体化させ、その片側に取り外し可能なキャップ２を取り付け、突起のついた蓋３が開閉自在となるようにし、爪楊枝の出し入れが可能となる。歯ブラシ本体４と爪楊枝ケース１が一体となる事で、２つの機能がコンパクトに収納でき、携帯するのに便利である。【選択図】図１
0003142362.tif 000002
【実用新案登録請求の範囲】
【請求項１】
歯ブラシ本体の持ち手の部分を爪楊枝ケースとし、底の部分をキャップにしキャップと一体型の蓋をつけることで爪楊枝の出し入れをするもので、歯ブラシの機能と爪楊枝ケースをコンパクトに一体化することで、外出先でも歯ブラシと爪楊枝を併用したり、水道がない場合など歯ブラシを使用できないときでも爪楊枝を使用して、口内の手入れをする事が出来る携帯用歯ブラシ
【考案の詳細な説明】
【技術分野】
【０００１】  本考案は、歯ブラシに爪楊枝ケースを取り付けた、歯ブラシに関するものである。
【背景技術】
【０００２】  外出先で、歯ブラシを使用するとき、食べかす等が取りきれない場合があった。
また、水道のない場所では歯ブラシができず、別に携帯した爪楊枝を使用していた。
【考案の開示】
【考案が解決しようとする課題】
【０００３】  歯ブラシを携帯するのに、歯ブラシのみでは機能が十分でなかったり、爪楊枝のみを携帯するのも、ばらばらになり携帯しづらい。また、歯ブラシと爪楊枝を別々に携帯しなければならない。従って、歯ブラシの機能と爪楊枝のケースを一体化することにより、バッグにもコンパクトに収納することができ、前述の不便さを解決しようとするものである。
【課題を解決するための手段】
【０００４】  本考案は、歯ブラシ本体の持ち手の部分を持ちやすい形体の爪楊枝ケースとし、持ち手の底の部分を蓋つきキャップとし、爪楊枝を出し入れできる。蓋は、キャップ本体から離れないようにすることで、なくしたりせず、スムーズに爪楊枝を出し入れできるようにし、キャップを取り外して爪楊枝を補充できることで、問題を解決している。
【考案の効果】
【０００５】  上述の様に、本考案の爪楊枝ケース付携帯用歯ブラシは、携帯用歯ブラシとして使用する事はもちろん、爪楊枝ケースを取り付けたので、取りきれない食べかすを爪楊枝で取ったり、水道がなく歯ブラシが使えない場合でも口内の手入れをする事が可能になる。しかも、歯ブラシ本体の大きさは変わらず、コンパクトに収納する事ができるので、携帯に便利である。
【考案を実施するための最良の形態】
【０００６】  歯ブラシ本体の持ち手の部分は、持ちやすいように楕円形にし、持ち手の底から爪楊枝を出し入れできるように、また、キャップと蓋を一体化することにより蓋がキャップから離れず使用できる。
蓋の大きさは、一度に爪楊枝が２〜３本でる大きさにすることで、取り出しやすくなる。
キャップと本体は取り外しが可能で、爪楊枝を補充しやすい。
【実施例】
【０００７】  以下、添付図面に従って一実施例を説明する。
１は耐久性のプラスチック等適宜素材にて４の歯ブラシと一体化形成された爪楊枝ケース。
２はやや柔軟性のあるプラスチック等適宜素材にて本体に取り付けられた蓋つきのキャップで、本体と取り外す事ができる。
３はキャップと一体化した蓋で、突起を設ける事で開けやすくする。
【図面の簡単な説明】
【０００８】
【図１】本考案の爪楊枝ケース付携帯用歯ブラシの実施例を示す図である。
【図２】本携帯用歯ブラシの爪楊枝ケース部分の図である。
【符号の説明】
【０００９】  １  爪楊枝ケース
２  キャップ
３  蓋
４  歯ブラシ本体
【図１】
0003142362.tif 000003
【図２】
0003142362.tif 000004
(57)【要約】      （修正有）【課題】インダクタンス伝動式装飾構造を提供する。【解決手段】インダクタンス伝動式装飾構造は、発射と受信間に存在するインダクタンスによりコイル１１２に磁場を生成させて、装飾品内のオーナメント１２を駆動させることができる新規で、面白みのある装飾構造である。発射部により高周波電波を生成し、コイル１１２により外に発射し、受信部中のコイル１１２が高周波電波を受信後、直流電圧が、モーター１１３、磁石、発光ダイオードを駆動するか、或いは、充電電池を充電して使用することができる。このような構造により、完全に密封された空間内で、動力ぜんまい装置を装着することなく、多様な動態表現が可能で、商品の付加価値を高めることができる。【選択図】図４
0003142368.tif 000002
【実用新案登録請求の範囲】
【請求項１】
インダクタンス伝動式装飾構造であって、
コップやマスコット形態の広告用商品、容器類、文具に応用し、主に、オーナメント本体と底座からなり、その特徴は、
前記オーナメント本体は封閉空間を有し、前記封閉空間内にオーナメントを設置して、作動する標的物とし、且つ、前記封閉空間底部の中央槽体内にコイルを設置し、前記コイルが充電マイクロモーターに連接され、前記モーターの旋転動力により、ギアユニットを帯動して、前記オーナメント下方に設置されたギアを駆動し、旋転性動作を形成し、
前記底座は前記オーナメント本体上に設置されるか、近距離で接触して、インダクタンス伝動し、前記底座は直流電圧か家庭用電気により高周波電波を生成し、前記底座内のコイルにより外向けに電波を発射し、前記オーナメント内部のコイルが高周波電波を受信して、直流電圧を得て、前記モータを駆動し、前記オーナメントを旋転させることを特徴とするインダクタンス伝動式装飾構造。
【請求項２】
前記オーナメント本体の封閉空間内のオーナメントは、磁石、或いは、発光ダイオードを接続していることを特徴とする請求項１に記載のインダクタンス伝動式装飾構造。
【請求項３】
前記オーナメント本体の封閉空間内のオーナメントは、充電電池により直接駆動されると共に、底座により生成されるインダクタンスで充電池を充電することを特徴とする請求項１に記載のインダクタンス伝動式装飾構造。
【考案の詳細な説明】
【技術分野】
【０００１】
本考案はインダクタンス伝動式装飾構造に関するものであって、特に、完全に封閉構造状態下で、発射と受信間に存在するインダクタンス式によりコイルに磁場を発生させ、装飾品内に設置されたオーナメントを駆動し、新規で、多様化動態的表現が可能なインダクタンス伝動式装飾構造に関するものである。
【背景技術】
【０００２】
公知のぜんまい装置は、密封性の構造体に使用できない。構造形態上、耐性不良で、損壊しやすい欠点があり、配置物と構造体を隔離、封閉するのは難しい。特に、液体装飾物（透明ケース内に流体を入れる）と接触するコップ、容器蓋等は、公知のぜんまい装置を採用することができない。更に、反復性の動力釈放と動力保存は操作を必要とするので、使用者にとって面倒であり、物品の発展と功能に影響するばかりか、物品が趣や新規性を喪失する。  
【考案の開示】
【考案が解決しようとする課題】
【０００３】
本考案の目的は、インダクタンス伝動式装飾構造を提供し、上述の問題を解決することにある。
【課題を解決するための手段】
【０００４】
本考案のインダクタンス伝動式装飾構造は、発射と受信間に存在するインダクタンス式によりコイルに磁場を生成させて、装飾品内のオーナメントを駆動させることができる新規で、面白みのある装飾構造である。本考案は、発射部により高周波電波を生成し、コイルにより外に発射し、受信部中のコイルあ高周波電波を受信後、直流電圧が、モーター、磁石、発光ダイオードを駆動するか、或いは、充電電池を充電して使用することができる。
【考案の効果】
【０００５】
本考案により、完全に密封された空間内で、動力ぜんまい装置を装着することなく、多様な動態表現が可能で、商品の付加価値を高めることができる。
【考案を実施するための最良の形態】
【０００６】
図１と図２は、本考案の実施例によるコップを示す図で、主に、コップ（装飾本体）１と底座２とからなる。コップ１は本体下方に封閉空間１１を有し、この封閉空間１１内にオーナメント１２を設置して、作動する標的物とする。
【０００７】
コップ１と底座２の関係は、コップ１を底座２に設置し、封閉空間内のオーナメント１２が作動するようになっている。また、底座２の動力源は、自身に設置されている電池か外接の方式で電源に接続し、オーナメント１２が底座に生成されるインダクタンス式によりインダクタンス伝動目的を達成する。
【０００８】
図３と図４は、コップの封閉空間１１の底部構造と断面を示す図で、中央槽体１１１内にコイル１１２を設置し、コイルが充電型マイクロモーター１１３に連接され、モーター１１３により旋転し、ギアユニット１１４を帯動して、オーナメント１２下方に設置されたギア１２１を駆動し、オーナメント１２が旋転する。
【０００９】
図５は、本考案の封閉空間１１中のオーナメント１２が往復性の揺動運動をするもう一つの実施例を示す図である。同様に、底座に生成されたインダクタンスと揺動棒下方に設けられた磁石１２３により、オーナメント１２に設置された振り子１２２は、底座２が硬性電気式磁場を生成して、往復揺動する。
【００１０】
図６と図７は、それぞれ、底座２とコップの封閉空間のオーナメント１２に設置される電子回路図であり、底座２は、直流電圧か家庭用電源により高周波電波を生成し、底座内のコイルL１、L２が外向けに電波を発射し、オーナメント１２内部に設置されたコイルL３が高周波電波を受信した後、直流電圧を得て、オーナメント１２に設置されたモーター、磁石、発光ダイオードを駆動させるか、或いは、充電電池の充電とすることにより、オーナメントを駆動させる。
【図面の簡単な説明】
【００１１】
【図１】本考案の好ましい実施例による外観図である。
【図２】本考案のオーナメント本体（コップ）と底座の分離状態図である。
【図３】本考案の封閉空間底部の構造図である。
【図４】本考案の封閉空間のオーナメントの断面図である。
【図５】本考案の封閉空間のオーナメントのもう一つの実施例を示す図である。
【図６】本考案の底座の電子回路図である。
【図７】本考案の封閉空間のオーナメントの電子回路図である。
【符号の説明】
【００１２】
１  コップ
２  底座
１１  封閉空間
１２  オーナメント
１１１  中央槽体
１１２  コイル
１１３  モーター
１１４  ギアユニット
１２１  ギア
１２２  振り子
１２３  磁石
【図１】
0003142368.tif 000003
【図２】
0003142368.tif 000004
【図３】
0003142368.tif 000005
【図４】
0003142368.tif 000006
【図５】
0003142368.tif 000007
【図６】
0003142368.tif 000008
【図７】
0003142368.tif 000009
(57)【要約】      （修正有）【課題】  本考案は、空気式掘削装置において、粉砕物および空力騒音を装置内に留めるため、作業環境および周囲環境への負荷の低減が可能であり、軽量小型化により作業効率の向上を提供するものである。【解決手段】  防塵および防音装置の躯体５と空気式掘削装置４との接続を可動性、柔軟性および密着性の高い接続部６を配設、掘削対象１との接触面に可動式の粉砕物遮断幕９を配設および空気圧および粉砕物を一定方向に導き粉砕物を捕集する排気室８を組み合わせて配設する。【選択図】図１
0003142361.tif 000002
【実用新案登録請求の範囲】
【請求項１】
空気式掘削装置と同じ口径で接続できる可動性の構造および素材による接続部を有してなることを特徴とする防塵および防音装置。
【請求項２】
防塵および防音装置の躯体と掘削対象開口部との接触部分に可動性の構造および素材を有してなることを特徴とする請求項１記載の防塵および防音装置。
【考案の詳細な説明】
【技術分野】
【０００１】本考案は、土木工事の掘削および遺跡・埋設構造物等調査の試掘、樹幹腐朽被害材等の掘削における空気式掘削装置の防塵および防音装置に関する。
【背景技術】
【０００２】空気式掘削装置による掘削工において、側面および上面に防塵幕を設置し、それに囲まれた内部に作業者が立ち入って作業を行っている。
【考案の開示】
【考案が解決しようとする課題】
【０００３】背景技術に示した作業方法において、粉砕物の跳ね返りや空力騒音による労働環境悪化の欠点、防塵幕の気密性不足による粉砕物の飛散や空力騒音による周囲環境悪化の欠点、および、防塵幕の大型化による作業性低下などの欠点がある。そのため、法規制、周囲環境条件および気象条件などによる制約を受ける欠点がある。
【課題を解決するための手段】
【０００４】本考案は、空気式掘削装置の作業箇所を被覆し、粉砕物を捕集するとともに空力騒音を本装置内に留めるものであり、空気式掘削装置と本装置とは密着性および可動性をもつ構造および素材により接続し、また、本装置躯体と掘削対象開口部との接触部分に可動式密着部材を構成する。
【考案の効果】
【０００５】本考案に係る防塵および防音装置は、空気式掘削装置の作業箇所を被覆し粉砕物の飛散や空力騒音などの作業環境および周囲環境に対する負荷を軽減する。また、作業箇所の視認性向上、掘削作業の能率向上、防塵および防音対策施設の軽量小型化による移動性が向上する。
【考案を実施するための最良の形態】
【０００６】空気式掘削装置と本装置とを密着性および可動性をもつ構造および素材により接続する形態、本装置躯体と掘削対象開口部とを密着性および可動性をもつ構造および素材により接続する形態、および空気圧および粉砕物を一定方向に導き粉砕物を捕集する形態を組み合わせて構成する。
【実施例】
【０００７】図１に示すように、本装置の躯体５は、掘削対象１の掘削対象開口部２ａおよび２ｂを覆い、掘削する範囲３から空気式掘削装置４の空気圧により粉砕され巻き上げられた粉砕物を本装置内に捕集するとともに、空力騒音を本装置内に留める。本装置は、粉砕物の衝撃および空力騒音を吸収および抑制する十分な強度と比重を持つ素材で構成される。躯体の形状は、角柱、円柱、角錐、円錐および欠球などでもよい。【０００８】図１に示すように、空気式掘削装置４と本装置との接続部６は、可動性の構造および素材とし、空気式掘削装置４の挿入箇所は空気式掘削装置４の直径と一致するかまたは伸縮性をもたせて接続し防塵性と可動性をもたせる。接続部６は上面あるいは側面に複数個設けることができ、掘削する範囲３をより拡張できる。【０００９】図１に示すように、作業窓７は、上面または側面を設けられ、作業者への粉砕物の跳ね返りを防ぎつつ作業位置を視認することができる。透過性があり粉砕物付着が少なく、粉砕物の衝撃および空力騒音を抑制するのに十分な強度と比重を持つ素材で構成される。【００１０】図１に示すように、排気室８は、本装置内の空気圧を一定方向に導いて空気圧を減衰させることにより、粉砕され巻き上げられた粉砕物を沈降させ、周囲環境への排気を清浄化する。清浄化を促進するため、排気室８の内部には、粉砕物の衝突板１０およびフィルター素材１１を配置することができる。排気室８の容積は、供給される空気量にみあった体積を設定する。接続部６をフィルター素材にすることにより、排気箇所が増設されるため、排気室８の容積を小容量化することができる。【００１１】図１に示すように、粉砕物遮断幕９ａおよび９ｂは、柔軟性と可動性をもち掘削対象１と躯体５および作業窓７とを密着性させる。連続的な掘削を行う場合、粉砕物遮断幕９ａを９ｂのように躯体外側に展開させ、先行して掘削した近接の掘削対象開口部２ｂを被覆し、粉砕物の飛散を抑制する。柔軟かつ堅牢な素材で構成され、例えばゴムシートなどの一端を躯体５に固定あるいは、板材を蝶番で躯体５に固定する。
【図面の簡単な説明】
0003142361.tif 000003
【図１】本装置、空気式掘削装置および掘削対象の配置を示した断面図である。
【符号の説明】
【００１２】  １・・・掘削対象
２ａおよび２ｂ・・・掘削対象開口部（２ａは現在掘削中、２ｂは先行して掘削済）
３・・・掘削する範囲
４・・・空気式掘削装置
５・・・躯体
６・・・接続部
７・・・作業窓
８・・・排気室
９ａおよび９ｂ・・・粉砕物遮断幕（９ａは未展開状態、９ｂは展開状態）
１０・・・衝突板
１１・・・フィルター素材
←・・・空気の流れ
【図１】
0003142361.tif 000004
(57)【要約】      （修正有）【課題】既存の引き違い式開閉扉を、自動開閉式に改造するに当たり、開閉動作負荷が少なくなる引き違い式の自動開閉扉を提供する。【解決手段】引き違い式開閉体１を支える構造部に駆動モーター４で回転させるプーリー５を備える駆動源を固定し、引き違い式開閉体の上部枠に取り付けたベルト３を回転プーリーの上に載せ、回転プーリーで扉を吊り上げた状態で、モーターの回転力をベルトに伝えて引き違い式開閉体を開閉することを特徴とした引き違い式開閉体の自動開閉装置であり既存の引き扉を大掛かりな工事を伴わず、自動開閉扉又は扉にすることが可能となる。【選択図】図２
0003142357.tif 000002
【実用新案登録請求の範囲】
【請求項１】
引き違い式開閉体を支える構造部に駆動モーターで回転させるプーリーを備える駆動源を固定し、引き違い式開閉体の上部枠に取り付けたベルトを回転プーリーの上に載せ、回転プーリーで扉を吊り上げた状態で、モーターの回転力をベルトに伝えて引き違い式開閉体を開閉することを特徴とした引き違い式開閉体の自動開閉装置。
【考案の詳細な説明】
【技術分野】
【０００１】  本考案は、既存の引き違い式開閉体である扉に付加できる自動開閉装置に関する。
【背景技術】
【０００２】  既存工場における引き違い開閉式扉は、手動式のものが多く、両手で荷物を持った状態での扉の開閉には、一旦荷物を床等に置いて、手を使えるようにして、手で開き、再度荷物を持って入室し、扉を閉める際また荷物を床等に置いて、手で閉めていた。既存開閉式扉を自動扉装置に改良するには、枠体と扉が一体化したものに交換する等大掛かりな改築工事となり、高額な費用が伴った。【０００３】  引き違い式扉の自動開閉装置として、専用枠体のレールに扉に取り付けた駆動車輪を載せて扉に固定したモーターで開閉する構造が知られている（特許文献１参照）。
【特許文献１】特開平０８−１７７３０８
【０００４】  また、凹杆の凹みを横向きにした状態で扉枠に固定し、この凹杆を鴨居に取り付けた駆動モーターの回転動力を伝える駆動ローラと従動ローラで挟持せて、ローラと凹杆との摩擦で扉を開閉させることが知られている（特許文献２参照）。
【特許文献２】実開平０５−０７８８７８
【考案の開示】
【考案が解決しようとする課題】
【０００５】  特開平０８−１７７３０８の技術においては、扉に固定した駆動モーターで扉を開閉装置となるため、電力線に弛みが生じ、その対策が伴った。【０００６】  既存引き違い開閉式開閉体は、取り付け後長年使用している場合が多く、戸車の劣化や敷居レールの劣化により、開閉がスムーズに行かないものも多い、また重い開閉体の物があり、開閉に過大な力が伴い、その対策が必要であった。【０００７】  既存引き違い開閉式扉又は窓を自動扉に改良する場合は扉または窓と枠体を取り替える必要があり、工事費用が嵩んだ。【０００８】  又、実開平０５−０７８８７８の技術においては、扉自体の自重が嵩むものや戸車、レールが劣化している場合、駆動モーターに負荷がかかるため扉の開閉に無理が生じ、故障の原因となった。【０００９】  既存引き違い開閉式扉又は窓は、取り付け後長年使用している場合が多く、戸車の劣化や敷居レールの劣化により、開閉がスムーズに行かないものも多い、また重い扉等の物があり、開閉に過大な力が伴い、その対策が必要であった。【００１０】  本考案は、既存引き違い式開閉体を安いコストで自動開閉装置に改良可能とする装置である。
【課題を解決するための手段】
【００１１】  本考案は、引き違い式開閉体を支える構造部に駆動モーターで回転させるプーリーを備える駆動源を固定し、引き違い式開閉体の上部枠に取り付けたベルトを回転プーリーの上に載せ、回転プーリーで扉を吊り上げた状態で、モーターの回転力をベルトに伝えて引き違い式開閉体を開閉することを特徴とした引き違い式開閉体の自動開閉装置である。
【考案の効果】
【００１２】  本考案の装置は、開閉体以外の支持体に取り付けた駆動モーターを介し、回転プーリーにベルトを載せて駆動することを特徴とした構造であるため、常に開閉体を吊った状態となり、下部戸車と敷居レールとの加重負担が大幅に軽減され、開閉体の開閉が容易になる。【００１３】  本考案の駆動用電源が停止し、手動で開閉する際、開閉体が吊った状態となるので開閉がスムーズにできる。
【考案を実施するための最良の形態】
【００１４】  本考案を図１・図２で説明する。駆動モーター４とプーリー５が一体化した駆動源６で、開閉体である扉１を支える構造部の上部壁１０や鴨居９に取り付ける。一方扉１の上部枠２にＶベルト３を取り付け、このＶベルト３にプーリー５を載せることにより、扉１は吊られた状態になる。駆動モーター４の回転力をプーリー５を介してＶベルト３に伝えて、扉の開閉をする。【００１５】  スイッチＯＮ・ＯＦＦは、床に置いたフットセンサー１２や上部に取り付けた赤外線センサー１３で認識させ、開閉位置は鴨居に取り付けた左右のリミットセンサー１１で位置を感知させる。これらセンサーのコントロールは制御装置１４で行う。【００１６】  扉の上部鴨居９や壁部１０に支持体７を取り付け、支持体アングル８で駆動モーター４とプーリー５が一体化した駆動源６を固定させる。【００１７】  プーリーに架かる扉重量の負担の調整は、扉の自重や下部戸車１５とレール１６の劣化状態に応じて、プーリー取り付け又はベルト取り付け上下位置を調整し、扉重量がレールにかかる負荷を最小減になるようにする。【００１８】  本考案を既存の引き違い式窓に取り付ける場合は、制御装置にリモコン１５対応で作動操作可能な状態にして開閉する。【００１９】  本考案は、既存の引き違い開閉体を大掛かりな改修工事を必要とせず、既存の引き違い開閉体を自動扉にすることができる。【００２０】  両手で荷物を運ばなければならない工場や、小規模な店舖、一般家庭では車椅子で移動しなければならない家庭などバリアフリーが必要な家庭等で必要となり、その効果が大きい。【００２１】  病院や老人ホームにおいては、寝たきりで窓の開閉を介護人に任せているような状況においても、本考案を窓に取り付け、リモコン操作で窓の開閉も可能となり、外の自然の空気・風を好きな時に部屋へ取り入れることが可能となりその効果は大きい。
【図面の簡単な説明】
【００２２】
【図１】本考案を既存の引き違い式扉に適用した自動開閉装置の正面図
【図２】本考案の既存の引き違い式扉の自動開閉装置の要部断面図
【符号の説明】
【００２３】    １  開閉体としての扉
２  枠
３  ベルト
４  モーター
５  プーリー
６  駆動源
７  支持体
８  取り付けアングル
９  鴨居
１０  壁
１１  リミットスイッチ
１２  マットスイッチ
１３  感知センサー
１４  制御装置
１５  戸車
１６  レール
１７  敷居
１８  床
【図１】
0003142357.tif 000003
【図２】
0003142357.tif 000004
(57)【要約】      （修正有）【課題】ＯＡ機器関連等の異なる機器材に関して、埃、手の指紋等の油汚れを除去することが可能な、性質の異なる２種類の拭き取り部材からなるＯＡ機器クリーナーを提供する。【解決手段】本体１ａ側になめし皮部材部と、本体１ｂ側に、ファー、又は、けば織り部材部を合体することで、性質の異なる二つの除去部材を備えたことを特徴とする。【選択図】図１
0003142355.tif 000002
【実用新案登録請求の範囲】
【請求項１】
ＯＡ機器、ＣＤ、及びＤＶＤディスク等の埃や手の指絞等の油汚れを除去できる２種類の異なる部材機能を設け、手を汚さないために、取っ手を宙ぶらりんにし格納式機構を特徴とするＯＡ機器クリーナー。
【請求項２】
請求項１の異なる機器の汚れを取るために、一方はなめし皮部材を用い、もう一方をファー、又は、毛足の長い、けば織りからなる２種類の異なる部材を両側に組み込んだ合体構造の請求項１に記載のＯＡ機器クリーナー。
【請求項３】
請求項２の各、拭き取り部材に、ゴム紐を周囲、又は、４隅に入れ縫製した部材からなり、弾性を持たせることで容易に取り外し、取り付けを可能にした構造から、何度でも繰り返し洗濯ができることを特徴とする請求項１、又は、２に記載のＯＡ機器クリーナー。
【考案の詳細な説明】
【技術分野】
【０００１】  本考案は、ＯＡ機器、ＣＤ、及びＤＶＤディスク等、異なる機器の汚れや埃、手の指紋等の油汚れを除去するためのクリーナーに関する。
【背景技術】
【０００２】  従来品は、使い捨用ペーパータオル、或いは、化学洗剤スプレー等を吹きかけて布等で拭き取るなどであったが、ＯＡ機器、又はＣＤ及びＤＶＤディスクのどちらか１つの除去しかできないものである。【０００３】  本考案は、ＯＡ機器、ＣＤ，及びＤＶＤディスクなどの埃、手の指絞等の油汚れを２種類の異なる部材から構成されている構造からなり、化学洗剤等を使用せずに、手軽で容易に除去できることを特徴としている。
【考案の開示】
【考案が解決しようとする課題】
【０００４】  本考案は、異なる製品の性質上からＯＡ機器等の埃を取る部材側と、ＣＤ、及びＤＶＤディスクの手の指絞等の油汚れを拭き取る部材側との、２種類の異なる部材からなり、各、汚れを除去できる構造を可能にしている。【０００５】  本考案は形成部材からなり技術、コスト面で実用的で量産化を可能にして、安価で経済的にも有効である。
【課題を解決するための手段】
【０００６】  上述した課題を解決するために本考案は、図１の１ａ側に、なめし皮の部材、１ｂ側にファー、又は、毛足の長い、けば織り部材からなる２種類の異なる部材を図１の様に合体して、使い分ける構造で解決をしている。【０００７】  図３の７ａ，７ｂで示す各箇所に、周囲又は４隅にゴム紐を入れ縫製し、弾性を持たせことで容易に取り外し，取り付けを可能にしている。【０００８】  図３の分解斜視図で示す１ａ本体側と、図３の６なめし皮部材の間に１ａ本体と同サイズ図３の８スポンジ部材を間に入れることで、各機器等の凹凸箇所でも、製品を傷つけることなく汚れを拭き取ることを可能にした。【０００９】  図５収納ケース本体に１１硬質スポンジ部材を取り付けることで、なめし皮部材に付いた埃、及び細かい繊維等を取り除くことを可能にしている。
【考案の効果】
【００１０】  本考案のＯＡ機器、ＣＤ，及びＤＶＤディスククリーナーは、各拭き取り部材部分が汚れたら何度でも洗濯が可能で、取っ手は格納式の構造からサイズが半分になり置き場所を取らずに、事務所や家庭でも日常的に役立つものである。【００１１】  従来の形態は、使い捨ての製品が大半を占めていたが、本考案は何度でも各部材を取り外し洗濯ができる構造で省エネルギー効果も可能にしている。
【考案を実施するための最良の形態】
【００１２】  本考案はあらゆるＯＡ機器、ＣＤ，及びＤＶＤディスク等、形状の異なる製品を２種類の拭き取り部材で容易に拭き取る機能を可能にしている。
【実施例】
【００１３】  本考案を添付図面に従って一実施を説明する。図１は使用時を示し、図２は取っ手を格納した不使用時である。
【産業上の利用可能性】
【００１４】  本考案のＯＡ機器、ＣＤ，及びＤＶＤディスククリーナーの収納は、形成部材のケースに入れことで、場所をとることなく体裁よく身近に置くことができ、使用者はもとより産業上の利用は大きいものである。
【図面の簡単な説明】
【００１５】
【図１】  本考案の一実施形態を示す使用例である。
【図２】  本考案の一実施形態を示す取っ手の格納例である。
【図３】  本考案の一実施形態を示す分解斜視図である。
【図４】  本考案の一実施形態を示す取っ手を格納するための動作図である。
【図５】  本考案の一実施形態を示すケース本体の斜視図である。
【図６】  本考案の一実施形態を示すケースカバーの斜視図である。
【符号の説明】
【００１６】  １ａ，１ｂ  本体
２ａ，２ｂ，２ｃ，２ｄ    係合溝部
３ａ，３ｂ  取っ手
４ａ，４ｂ，４ｃ，４ｄ    支持軸部
５ａ，５ｂ  固定ビス
６          なめし皮部材
７ａ，７ｂ  ゴム紐
８          スポンジ
９          ファー部材、又は、けば織り部材
１０        収納ケース本体
１１        硬質スポンジ部材
１２        収納ケースカバー
【図１】
0003142355.tif 000003
【図２】
0003142355.tif 000004
【図３】
0003142355.tif 000005
【図４】
0003142355.tif 000006
【図５】
0003142355.tif 000007
【図６】
0003142355.tif 000008